(57)【要約】【課題】毛髪のカール部分と直線状部分を同時に整形することができる毛髪加熱処理装置を提供する。【解決手段】毛髪加熱処理装置１０は平板状部２０、平板状部２０の一端２１に連設された湾曲板状部３０および接続手段５０を備えている。平板状部２０は平板状プラスチック材料２３の中に抵抗体からなる発熱体４０を組み込んだものであり、湾曲板状部３０は湾曲板状プラスチック材料３３の中に発熱体４０を組み込んだものである。接続手段５０が発熱体４０を外部の電源に接続することができる。  さらに、湾曲板状プラスチック材料３３に沿って湾曲した各針金３６、３７を付設し、各針金３６、３７の湾曲の程度を調節することにより湾曲板状部３０の湾曲の程度を調節することができる。【選択図】図１
2008228764.tif 000002
【特許請求の範囲】
【請求項１】
平板状部、前記平板状部の一端に連設された湾曲板状部および接続手段を備え、
前記平板状部は平板状プラスチック材料の中に抵抗体からなる発熱体を組み込んだものであり、
前記湾曲板状部は湾曲板状プラスチック材料の中に前記抵抗体からなる発熱体を組み込んだものであり、
前記接続手段が前記抵抗体からなる発熱体を外部の電源に接続することができることを特徴とする毛髪加熱処理装置。
【請求項２】
請求項１記載の毛髪加熱処理装置であって、
前記湾曲板状プラスチック材料に沿って湾曲した針金を付設し、
前記湾曲した針金の湾曲の程度を調節することにより前記湾曲板状部の湾曲の程度を調節することができることを特徴とする毛髪加熱処理装置。
【発明の詳細な説明】
【技術分野】
【０００１】
本発明は、人の毛髪にパーマネントをかける毛髪加熱処理装置に関するものであり、特に一度の毛髪加熱処理で毛髪の湾曲部分と直線状部分を整形することができる技術に関するものである。
【背景技術】
【０００２】
従来、毛髪の処理に際し、毛髪を巻きつけるロッドの内部に発熱部材を設けて、この発熱部材を発熱させて、毛髪のカールを形成する方法が用いられている（例えば特許文献１参照）。
この場合、内部に発熱装置を備えたロッドにパーマ液で処理した毛髪を巻き付け、ロッドを発熱させることにより巻き付けられた毛髪を加熱することにより、毛髪にパーマネントウェーブを施すことができる。
【特許文献１】特開２００６−２３０５３８号公報
【発明の開示】
【発明が解決しようとする課題】
【０００３】
しかし、上述の従来例では、毛髪を発熱するロッドでカールさせることはできるが、カールと同時にカールさせない部分を直線状に整形することはできいという問題があった。
そこで、本発明が解決しようとする課題は、毛髪のカール部分とカールしない直線状部分を同時に整形することができる毛髪加熱処理装置を提供することである。
【課題を解決するための手段】
【０００４】
上記課題を解決するため、請求項１記載の発明は、平板状部、前記平板状部の一端に連設された湾曲板状部および接続手段を備え、前記平板状部は平板状プラスチック材料の中に抵抗体からなる発熱体を組み込んだものであり、前記湾曲板状部は湾曲板状プラスチック材料の中に前記抵抗体からなる発熱体を組み込んだものであり、前記接続手段が前記抵抗体からなる発熱体を外部の電源に接続することができることを特徴とする毛髪加熱処理装置である。
請求項１記載の発明により、毛髪を前記平板状部および前記平板状部の一端に連設された湾曲板状部に貼り付け、その際に毛髪の先端側を前記湾曲板状部に貼り付けて、前記接続手段により前記発熱体を外部の電源に接続して、前記発熱体に電力を供給して前記発熱体を発熱させて、前記発熱体で発生する熱により前記毛髪を加熱することにより、前記毛髪の形を前記平板状部の表面および前記湾曲板状部の表面に沿った形にすることができる。その際、毛髪の先端部分以外の部分を直線状にし、毛髪の先端部分はカールするようにすることができる。
【０００５】
さらに、請求項２記載の発明は、請求項１記載の毛髪加熱処理装置であって、前記湾曲板状プラスチック材料に沿って湾曲した針金を付設し、前記湾曲した針金の湾曲の程度を調節することにより前記湾曲板状部の湾曲の程度を調節することができることを特徴とする毛髪加熱処理装置である。
請求項２記載の発明により、前記湾曲板状プラスチック材料に沿って付設した湾曲した針金の湾曲の程度を調節することにより前記湾曲板状部の湾曲の程度を調節することができるので、前記湾曲板状部の湾曲の程度を毛髪のカールの程度に合わせることができる。
【発明の効果】
【０００６】
請求項１記載の発明によれば、毛髪の直線状部分とカール部分を同時に整形することができる。
さらに、請求項２記載の発明によれば、請求項１記載の発明の効果とともに、毛髪のカールの程度を調節することができる。
【発明を実施するための最良の形態】
【０００７】
以下、本発明における実施の形態を図面に基づいて説明する。図１は本発明の実施の形態に係わる毛髪加熱処理装置の一部分を切り欠いて示し、図２は図１の毛髪処理装置の正面を拡大して示し、図３は前記毛髪加熱処理装置の使用例の正面の概略を示し、図４は前記使用例の側面の概略を示す。
【０００８】
図１に示すように、毛髪加熱処理装置１０は平板状部２０、平板状部２０の一端２１（図２参照）に連設された湾曲板状部３０および接続手段５０を備えている。
平板状部２０は平板状プラスチック材料２３の中に抵抗体からなる発熱体４０を組み込んだものであり、湾曲板状部３０は湾曲板状プラスチック材料３３の中に抵抗体からなる発熱体４０を組み込んだものである。
具体的には、図２に示すように、湾曲板状部３０の一端３１が平板状部２０の一端２１に一体に連設されている。そして、図１に示すように、湾曲板状プラスチック材料３３の表面３４は平板状プラスチック材料２３の表面２４と連続しており、湾曲板状プラスチック材料３３の裏面３５は平板状プラスチック材料２３の裏面２５と連続している。また、湾曲板状部３０の他端３２は平板状部２０の裏面２５側に位置している。
【０００９】
例えば、平板状部２０の大きさは、図１のように幅Ｗが１０ｃｍであり、図２のように長さＬが７０ｃｍまたは３０ｃｍ、厚さＴが１．５ｍｍである。また、湾曲板状部３０の湾曲は例えば円弧状であり、その直径φが８ｃｍである。
【００１０】
さらに、図１に示すように、湾曲板状プラスチック材料３３の一方の側部に沿って湾曲した第１針金３６を他方の側部に沿って湾曲した第２針金３７をそれぞれ接着剤により付設し、第１針金３６および第２針金３７の湾曲の程度を調節することにより湾曲板状部３０の湾曲の程度を調節することができる。
【００１１】
発熱体４０は帯状の抵抗体により形成され、平板状部２０および湾曲板状部３０内にて一体に形成されている。発熱体４０の幅Ｘは小さく、発熱体４０の長さ方向を折り曲げることにより、発熱体４０の長さおよび抵抗値を所定の値にすることができる。さらに、発熱体４０が帯状で一体に形成されているので、発熱体４０を平板状部２０および湾曲板状部３０内の各部分にわたって配置することができる。
なお、平板状部２０は表面２４側部分と裏面２５側部分を張り合わせた構造のものであり、表面２４側部分と裏面２５側部分との間に発熱体４０が配置されている。発熱体４０の抵抗値はその材料の固有抵抗、長さおよび長さ方向に垂直な断面積により定まる。
【００１２】
なお、平板状部２０の他端２２には断熱部材７０が付設されている。断熱部材７０の一端７１は円柱状である。断熱部材７０の一端７１にはその長手方向に溝７３（図２参照）が形成され、溝７３が平板状部２０の他端２２に嵌合し、この嵌合部分が接着剤にて接着されている。断熱部材７０は例えば発泡スチロール製である。
さらに、断熱部材７０は板状であり、平板状部２０の裏面２５および湾曲板状部３０の裏面３５に沿って配置され、断熱部材７０の他端７２は湾曲板状部３０の他端３２の位置まで延びている。
このため、発熱体４０が発生した熱が断熱部材７０により平板状部２０の裏面２５および湾曲板状部３０の裏面３５側に放熱することが少なくなる。
【００１３】
そして、接続手段５０が抵抗体からなる発熱体４０を外部の電源に接続することができる。接続手段５０は第１コード５１、第２コード５２およびコネクタ５３を有している。
また、発熱体４０の一端４１および他端４２は断熱部材７０の一端７１の近くに位置している。第１コード５１の一端は発熱体４０の一端４１に接続され、第２コード５２の一端は発熱体４０の他端４２に接続されている。また、第１コード５１は断熱部材７０の一端７１の一方の端７１ａから引き出され、第２コード５２は断熱部材７０の一端７１の他方の端７１ｂから引き出されている。
さらに、コネクタ５３は第１コード５１の他端に接続された端子および第２コード５２の他端に接続された端子を有している。
【００１４】
電源から電源コード６１が引き出され、電源コード６１の先端に電源側コネクタ６２が接続されている。毛髪加熱処理装置１０のコネクタ５３を電源側コネクタ６２に接続すると、前記電源から発熱体４０に電力が供給され、発熱体４０がジュール熱により発熱する。
【００１５】
以上の構成の毛髪加熱処理装置１０は以下の動作をする。
人の頭９０の毛髪９１を平板状部２０および平板状部２０の一端２１に連設された湾曲板状部３０に貼り付け、その際に毛髪９１の先端側を湾曲板状部３０に貼り付けて、接続手段５０により発熱体４０を外部の電源に接続して、発熱体４０に電力を供給して発熱体４０を発熱させて、発熱体４０で発生する熱により毛髪９１を加熱することにより、毛髪９１の形を平板状部２０の表面２４および湾曲板状部３０の表面３４に沿った形にすることができる。具体的には、約６０℃にて１０分間毛髪９１を加熱する。なお、加熱された毛髪９１の温度測定は赤外線放射温度計により行うことができる。
その際、毛髪９１の先端部分以外の部分を直線状にし、毛髪９１の先端部分はカールするようにすることができる。
【００１６】
さらに、湾曲板状プラスチック材料３３に沿って付設した湾曲した各針金３６、３７の湾曲の程度を調節することにより湾曲板状部３０の湾曲の程度を調節することができるので、湾曲板状部３０の湾曲の程度を毛髪のカールの程度に合わせることができる。
【００１７】
具体的には、図３および図４に示すように、例えば頭９０の両方の側面において、毛髪加熱処理装置１０の断熱部材７０の一端７１側を上にし、湾曲板状部３０を下にして毛髪９１を平板状部２０の表面２４および湾曲板状部３０の表面３４に糊のような粘度のある液で貼り付けて加熱する。
なお、毛髪加熱処理装置１０は図３および図４において各３個使用されている。
【００１８】
さらに、図３に示すように、毛髪９１を加熱する際に、毛髪加熱処理装置１０の平板状部２０の表面２４（図１参照）および湾曲板状部３０の表面３４（図１参照）と追加の板状の断熱部材８０で毛髪９１を挟むようにすると、毛髪９１を効率よく加熱することができる。その際、断熱部材（第１断熱部材）７０と追加の断熱部材（第２断熱部材）８０とをクリップ等で挟むと簡単に追加の断熱部材８０をセットすることができる。
【００１９】
なお、平板状プラスチック材料２３および湾曲板状プラスチック材料３３は、例えば２００℃に耐えるものであり、その材質は例えばポリエーテルイミドである。
また、毛髪加熱処理装置１０は同時に６個使用されているが、これに限定されず、頭９０の毛髪９１の状況に合わせて必要な数の毛髪加熱処理装置１０を同時に使用することができる。
また、前記電源の電圧は交流でも直流でもよい。そして、加熱される毛髪９１の温度が所定値（例えば６０℃）になるように前記電源の電圧が制御される。
【００２０】
さらに、図１に示す毛髪加熱処理装置１０に限定されず、例えば図５および図６に示す毛髪加熱処理装置１０ｘでもよい。毛髪加熱処理装置１０ｘは毛髪加熱処理装置１０の変形例である。なお、図５は背面を一部分切り欠いて示す背面図であり、図６は左側面を一部分省いて示す左側面図である。
図６に示すように、毛髪加熱処理装置１０ｘの平板状部２０ｘの一端２１ｘと湾曲板状部３０ｘは連設されていて、両者の境界は一定ではない。したがって一端２１ｘの位置は一定ではない。湾曲板状部３０ｘの部分を大きくすれば、それだけ平板状部２０ｘの部分が小さくなる。
また、図５に示すように、毛髪加熱処理装置１０ｘの湾曲板状部３０ｘ側（図６参照）の一方の側部には第１針金３６ｘが、他方の側部には第２針金３７ｘが、それぞれ接着剤により付設されている。第１針金３６ｘおよび第２針金３７ｘの長さは、例えば平板状部２０ｘおよび湾曲板状部３０ｘ（図６参照）合計の長さ（毛髪加熱処理装置１０ｘの長さ）Ｐの半分の長さである。
【００２１】
また、接続手段５０ｘは第１コード５１ｘ、第２コード５２ｘ、コネクタ５３ｘ、第１サーモスタット５４および第２サーモスタット５５を備えている。平板状部２０ｘの裏面２５ｘには第１および第２サーモスタット５４、５５が接着剤で接着されている。発熱体４０ｘ（図１の発熱体４０に相当している。）の一端４１ｘは導電性の第１ハトメ４１ａにより第１コード５１ｘに接続され、発熱体４０ｘの他端４２ｘは導電性の第２ハトメ４２ａにより第２コード５２ｘに接続されている。なお、各ハトメ４１ａ、４２ａの露出している部分は絶縁されている。
第１コード５１ｘは第１サーモスタット５４を経てコネクタ５３ｘに接続され、第２コード５２ｘは第２サーモスタット５５を経てコネクタ５３ｘに接続されている。なお、第１コード５１ｘおよび第２コード５２ｘは途中でその絶縁外皮が結合してその外形は１本のコード５０ａになっている。そして、コネクタ５３ｘを図示しない電源側コネクタに接続すると、電源から発熱体４０ｘに電力が供給されて発熱体４０ｘが発熱する。
また、第１サーモスタット５４および第２サーモスタット５５はその温度が所定値（例えば７０℃）以上になると発熱体４０ｘに電力を供給しないようにしている。このため、発熱体４０ｘが所定の温度以上になることを防ぐことができる。
【００２２】
さらに、図６に示すように、断熱部材７０ｘが断熱部材７０（図１参照）と同様に平板状部２０ｘの裏面２５ｘおよび湾曲板状部３０ｘの裏面３５ｘに固定されている。なお、第１および第２サーモスタット５４、５５は断熱部材７０ｘにより覆われている。なお、図５に示すように、コード５０ａは断熱部材７０ｘの一端７１ｘの一方の端７１ａｘから引き出されている。毛髪加熱処理装置１０ｘのその他の点は、毛髪加熱処理装置１０と同様である。
【００２３】
また、各針金３６、３７、３６ｘ、３７ｘは接着剤により付設されているが、これに限定されず、例えば接着剤の代わりに接着力が強い粘着テープを用いることもできる。
【図面の簡単な説明】
【００２４】
【図１】本発明の実施の形態に係わる毛髪加熱処理装置の一部分を切り欠いて示す斜視図である。
【図２】図１の毛髪処理装置の正面を拡大して示す正面図である。
【図３】図１の毛髪加熱処理装置の使用例の正面の概略を示す正面図である。
【図４】前記使用例の側面の概略を示す側面図である。
【図５】本発明の実施の形態の変形例に係わる毛髪加熱処理装置を一部分切り欠いた背面図である。
【図６】図５の毛髪加熱処理装置を一部分省いた左側面図である。
【符号の説明】
【００２５】
１０、１０ｘ  毛髪加熱処理装置
２０、２０ｘ  平板状部
２１、２１ｘ  一端
３０、３０ｘ  湾曲板状部
４０、４０ｘ  発熱体
５０、５０ｘ  接続手段
９１  毛髪
【図１】
2008228764.tif 000003
【図２】
2008228764.tif 000004
【図３】
2008228764.tif 000005
【図４】
2008228764.tif 000006
【図５】
2008228764.tif 000007
【図６】
2008228764.tif 000008